【手続補正書】
【提出日】平成16年12月3日(2004.12.3)
【手続補正１】
【補正対象書類名】明細書
【補正対象項目名】発明の名称
【補正方法】変更
【補正の内容】
【発明の名称】医用画像装置、検査予約システム及びメンテナンスサービスシステム
【手続補正２】
【補正対象書類名】明細書
【補正対象項目名】特許請求の範囲
【補正方法】変更
【補正の内容】
【特許請求の範囲】
【請求項１】
被検体に関する画像情報を取得する医用画像装置において、
前記医用画像装置の故障の有無を判定する手段と、
前記故障が有ったとき、前記医用画像装置を使った検査の予約受付を行うための外部の検査予約システムに対して、前記故障に関する情報を送信する手段とを具備することを特徴とする医用画像装置。
【請求項２】
被検体に関する画像情報を取得する医用画像装置において、
前記医用画像装置の故障の予兆の有無を判定する手段と、
前記故障の予兆が有ったとき、前記医用画像装置を使った検査の予約受付を行うための外部の検査予約システムに対して、前記故障の予兆に関する情報を送信する手段とを具備することを特徴とする医用画像装置。
【請求項３】
被検体に関する画像情報を取得する医用画像装置を使った検査の予約受付を行う検査予約システムにおいて、
前記医用画像装置から故障に関する情報を受信する手段と、
前記医用画像装置に故障が発生しているとき、前記検査の予約受付を拒否する手段とを具備することを特徴とする検査予約システム。
【請求項４】
被検体に関する画像情報を取得する医用画像装置を使った検査の予約受付を行う検査予約システムにおいて、
前記医用画像装置から故障に関する情報を受信する手段と、
前記医用画像装置に故障が発生しているとき、受付済みの前記検査予約をリストアップする手段とを具備することを特徴とする検査予約システム。
【請求項５】
被検体に関する画像情報を取得する医用画像装置を使った検査の予約受付を行う検査予約システムにおいて、
前記医用画像装置から故障に関する情報を受信する手段と、
前記医用画像装置に故障が発生しているとき、受付済みの前記検査予約をリストアップする手段と、
前記リストアップした検査予約に対応する患者及び／又は主治医の端末に対して検査予約取り消し通知を送信する手段とを具備することを特徴とする検査予約システム。
【請求項６】
被検体に関する画像情報を取得する医用画像装置を使った検査の予約受付を行う検査予約システムにおいて、
前記医用画像装置から故障の予兆に関する情報を受信する手段と、
前記故障の予兆に関する情報に基づいて、前記医用画像装置に故障が発生する時期を推定する手段と、
前記推定した時期の前記検査の予約受付を拒否する手段とを具備することを特徴とする検査予約システム。
【請求項７】
被検体に関する画像情報を取得する医用画像装置および前記医用画像装置のメンテナンスサイトのメンテナンスサービスシステムに対して電子的通信回線を介して接続された前記医用画像装置を使った検査の予約受付を行う検査予約システムにおいて、
前記医用画像装置から故障に関する情報を受信する手段と、
前記メンテナンスサービスシステムから修理計画に関する情報を受信する手段と、
前記医用画像装置に故障が発生してから前記修理計画による修理完了までの期間、前記検査の予約受付を拒否する手段とを具備することを特徴とする検査予約システム。
【請求項８】
被検体に関する画像情報を取得する医用画像装置および前記医用画像装置のメンテナンスサイトのメンテナンスサービスシステムに対して電子的通信回線を介して接続された前記医用画像装置を使った検査の予約受付を行う検査予約システムにおいて、
前記医用画像装置から故障に関する情報を受信する手段と、
前記メンテナンスサービスシステムから修理計画に関する情報を受信する手段と、
前記医用画像装置に故障が発生してから前記修理計画による修理完了までの期間に受付済みの前記検査予約をリストアップする手段とを具備することを特徴とする検査予約システム。
【請求項９】
被検体に関する画像情報を取得する医用画像装置および前記医用画像装置を使った検査の予約受付を行う検査予約システムに対して電子的通信回線を介して接続されたメンテナンスサービスシステムにおいて、
前記医用画像装置から故障に関する情報を受信する手段と、
前記故障に関する情報に基づいて、前記医用画像装置の修理計画を立てる又はそれを支援する手段と、
前記修理計画を前記検査予約システムに送信する手段とを具備することを特徴とするメンテナンスサービスシステム。
【請求項１０】
被検体に関する画像情報を取得する医用画像装置および前記医用画像装置を使った検査の予約受付を行う検査予約システムに対して電子的通信回線を介して接続されたメンテナンスサービスシステムにおいて、
前記医用画像装置から故障に関する情報を受信する手段と、
前記故障に関する情報に基づいて、複数の修理計画案を立てる又はそれを支援する手段と、
前記複数の修理計画案を前記検査予約システムに送信する手段と、
前記検査予約システムから前記複数の修理計画案の選択情報を受信する手段とを具備することを特徴とするメンテナンスサービスシステム。
【手続補正３】
【補正対象書類名】明細書
【補正対象項目名】０００１
【補正方法】変更
【補正の内容】
【０００１】
【発明の属する技術分野】
本発明は、Ｘ線診断装置やＸ線ＣＴ装置（Ｘ線コンピュータ断層撮影装置）等の医用画像装置、医用画像装置への検査予約を管理する検査予約システム、医用画像装置のメンテナンスサービスシステムに関する。
【手続補正４】
【補正対象書類名】明細書
【補正対象項目名】０００９
【補正方法】変更
【補正の内容】
【０００９】
【課題を解決するための手段】
本発明は、被検体に関する画像情報を取得する医用画像装置において、前記医用画像装置の故障の有無を判定する手段と、前記故障が有ったとき、前記医用画像装置を使った検査の予約受付を行うための外部の検査予約システムに対して、前記故障に関する情報を送信する手段とを具備することを特徴とする医用画像装置である。  
本発明は、被検体に関する画像情報を取得する医用画像装置において、前記医用画像装置の故障の予兆の有無を判定する手段と、前記故障の予兆が有ったとき、前記医用画像装置を使った検査の予約受付を行うための外部の検査予約システムに対して、前記故障の予兆に関する情報を送信する手段とを具備することを特徴とする医用画像装置である。  
本発明は、被検体に関する画像情報を取得する医用画像装置を使った検査の予約受付を行う検査予約システムにおいて、前記医用画像装置から故障に関する情報を受信する手段と、前記医用画像装置に故障が発生しているとき、前記検査の予約受付を拒否する手段とを具備することを特徴とする検査予約システムである。  
本発明は、被検体に関する画像情報を取得する医用画像装置を使った検査の予約受付を行う検査予約システムにおいて、前記医用画像装置から故障に関する情報を受信する手段と、前記医用画像装置に故障が発生しているとき、受付済みの前記検査予約をリストアップする手段とを具備することを特徴とする検査予約システムである。  
本発明は、被検体に関する画像情報を取得する医用画像装置を使った検査の予約受付を行う検査予約システムにおいて、前記医用画像装置から故障に関する情報を受信する手段と、前記医用画像装置に故障が発生しているとき、受付済みの前記検査予約をリストアップする手段と、前記リストアップした検査予約に対応する患者及び／又は主治医の端末に対して検査予約取り消し通知を送信する手段とを具備することを特徴とする検査予約システムである。  
本発明は、被検体に関する画像情報を取得する医用画像装置を使った検査の予約受付を行う検査予約システムにおいて、前記医用画像装置から故障の予兆に関する情報を受信する手段と、前記故障の予兆に関する情報に基づいて、前記医用画像装置に故障が発生する時期を推定する手段と、前記推定した時期の前記検査の予約受付を拒否する手段とを具備することを特徴とする検査予約システムである。  
本発明は、被検体に関する画像情報を取得する医用画像装置および前記医用画像装置のメンテナンスサイトのメンテナンスサービスシステムに対して電子的通信回線を介して接続された前記医用画像装置を使った検査の予約受付を行う検査予約システムにおいて、前記医用画像装置から故障に関する情報を受信する手段と、前記メンテナンスサービスシステムから修理計画に関する情報を受信する手段と、前記医用画像装置に故障が発生してから前記修理計画による修理完了までの期間、前記検査の予約受付を拒否する手段とを具備することを特徴とする検査予約システムである。  
本発明は、被検体に関する画像情報を取得する医用画像装置および前記医用画像装置のメンテナンスサイトのメンテナンスサービスシステムに対して電子的通信回線を介して接続された前記医用画像装置を使った検査の予約受付を行う検査予約システムにおいて、前記医用画像装置から故障に関する情報を受信する手段と、前記メンテナンスサービスシステムから修理計画に関する情報を受信する手段と、前記医用画像装置に故障が発生してから前記修理計画による修理完了までの期間に受付済みの前記検査予約をリストアップする手段とを具備することを特徴とする検査予約システムである。  
本発明は、被検体に関する画像情報を取得する医用画像装置および前記医用画像装置を使った検査の予約受付を行う検査予約システムに対して電子的通信回線を介して接続されたメンテナンスサービスシステムにおいて、前記医用画像装置から故障に関する情報を受信する手段と、前記故障に関する情報に基づいて、前記医用画像装置の修理計画を立てる又はそれを支援する手段と、前記修理計画を前記検査予約システムに送信する手段とを具備することを特徴とするメンテナンスサービスシステムである。  
本発明は、被検体に関する画像情報を取得する医用画像装置および前記医用画像装置を使った検査の予約受付を行う検査予約システムに対して電子的通信回線を介して接続されたメンテナンスサービスシステムにおいて、前記医用画像装置から故障に関する情報を受信する手段と、前記故障に関する情報に基づいて、複数の修理計画案を立てる又はそれを支援する手段と、前記複数の修理計画案を前記検査予約システムに送信する手段と、前記検査予約システムから前記複数の修理計画案の選択情報を受信する手段とを具備することを特徴とするメンテナンスサービスシステムである。